(57)【要約】【課題】電源投入時や圏内復帰時等のセルサーチをより高速に実施する。【解決手段】移動局１内の受信部１０は、一定の周波数間隔で配置された複数の無線周波数チャネルの内から、３チャネルおきに第１の無線周波数チャネルを順次選択すると共に、前記第１の無線周波数チャネルを中心周波数とする、予め定めた帯域幅分の信号成分を受信する。ＲＳＳＩ測定部２０は、前記受信の度に、前記第１の周波数チャネルに対応する信号成分の受信強度を測定すると共に、前記受信された信号成分中の低域成分及び高域成分の受信強度を、前記第１の無線周波数チャネルに隣接配置された第２及び第３の無線周波数チャネルに対応する信号成分の受信強度としてそれぞれ測定する。チャネル選択部３０は、最も高い受信強度が測定された無線周波数チャネルを、待ち受けチャネル４４として選択する。【選択図】図１
2010226151.tif 000002
【特許請求の範囲】
【請求項１】
一定の周波数間隔で配置された複数の無線周波数チャネルの内から、３チャネルおきに第１の無線周波数チャネルを順次選択すると共に、前記第１の無線周波数チャネルを中心周波数とする、予め定めた帯域幅分の信号成分を受信する受信部と、
前記受信の度に、前記第１の周波数チャネルに対応する信号成分の受信強度を測定すると共に、前記受信された信号成分中の低域成分及び高域成分の受信強度を、前記第１の無線周波数チャネルに隣接配置された第２及び第３の無線周波数チャネルに対応する信号成分の受信強度としてそれぞれ測定する測定部と、
最も高い受信強度が測定された無線周波数チャネルを、待ち受けチャネルとして選択する選択部と、
を備えた移動局。
【請求項２】
請求項１において、
前記測定部が、前記第１〜第３の無線周波数チャネルに対応する受信強度を並列に測定することを特徴とした移動局。
【請求項３】
請求項１又は２において、
前記複数の無線周波数チャネルが、前記移動局の属する移動体通信システムに適用される全ての無線周波数チャネルを含むことを特徴とした移動局。
【請求項４】
請求項１又は２において、
前記複数の無線周波数チャネルが、前記移動局の属する移動体通信システムに適用される全ての無線周波数帯域を分割した帯域の内で、最も高い受信強度分布が得られた帯域に含まれる無線周波数チャネルであることを特徴とした移動局。
【請求項５】
移動局におけるチャネルサーチ方法であって、
一定の周波数間隔で配置された複数の無線周波数チャネルの内から、３チャネルおきに第１の無線周波数チャネルを順次選択すると共に、前記第１の無線周波数チャネルを中心周波数とする、予め定めた帯域幅分の信号成分を受信し、
前記受信の度に、前記第１の周波数チャネルに対応する信号成分の受信強度を測定すると共に、前記受信した信号成分中の低域成分及び高域成分の受信強度を、前記第１の無線周波数チャネルに隣接配置された第２及び第３の無線周波数チャネルに対応する信号成分の受信強度としてそれぞれ測定し、
最も高い受信強度が測定された無線周波数チャネルを、待ち受けチャネルとして選択するチャネルサーチ方法。
【請求項６】
請求項５において、
前記第１〜第３の無線周波数チャネルに対応する受信強度を並列に測定することを特徴としたチャネルサーチ方法。
【請求項７】
請求項５又は６において、
前記複数の無線周波数チャネルとして、前記移動局の属する移動体通信システムに適用される全ての無線周波数チャネルを用いることを特徴としたチャネルサーチ方法。
【請求項８】
請求項５又は６において、
前記複数の無線周波数チャネルとして、前記移動局の属する移動体通信システムに適用される全ての無線周波数帯域を分割した帯域の内で、最も高い受信強度分布が得られた帯域に含まれる無線周波数チャネルを用いることを特徴としたチャネルサーチ方法。
【請求項９】
移動局に、
一定の周波数間隔で配置された複数の無線周波数チャネルの内から、３チャネルおきに第１の無線周波数チャネルを順次選択すると共に、前記第１の無線周波数チャネルを中心周波数とする、予め定めた帯域幅分の信号成分を受信する処理と、
前記受信の度に、前記第１の周波数チャネルに対応する信号成分の受信強度を測定すると共に、前記受信した信号成分中の低域成分及び高域成分の受信強度を、前記第１の無線周波数チャネルに隣接配置された第２及び第３の無線周波数チャネルに対応する信号成分の受信強度としてそれぞれ測定する処理と、
最も高い受信強度が測定された無線周波数チャネルを、待ち受けチャネルとして選択する処理と、
を実行させるためのチャネルサーチプログラム。
【発明の詳細な説明】
【技術分野】
【０００１】
本発明は、移動局、並びにチャネルサーチ方法及びプログラムに関し、特に移動局の電源投入時や圏内復帰時等に要するセルサーチ時間を短縮する技術に関する。
【背景技術】
【０００２】
移動体通信システムにおいては、携帯電話端末等の移動局と基地局との間の無線通信に、複数の無線周波数チャネルが適用される。例えば、欧州における移動体通信の標準規格であるＧＳＭ(Ｇｌｏｂａｌ Ｓｙｓｔｅｍ ｆｏｒ Ｍｏｂｉｌｅ ｃｏｍｍｕｎｉｃａｔｉｏｎｓ)方式に準拠した無線通信では、８５０ＭＨｚ帯、９００ＭＨｚ帯、１８００ＭＨｚ帯、及び１９００ＭＨｚ帯等の複数の帯域が使用され、無線周波数チャネルの数は数百にも及ぶ。
【０００３】
このため、移動局は、電源投入時及び圏内復帰時におけるセルサーチに際して、自局が属する移動体通信システムに適用される全ての無線周波数チャネルをサーチし、基地局を介して位置登録を行う。
【０００４】
この際、高速にセルサーチを実施することが、移動局を使用するユーザの利便性上望ましい。
【０００５】
上記の要望に対処する移動局が、例えば特許文献１及び２に記載されている。この移動局は、大略、移動体通信システムに適用される無線周波数帯域を分割した帯域(以下、分割帯域と呼称する)各々における無線信号の受信強度分布を取得する第１のサーチと、最も高い受信強度分布が得られた帯域に含まれる無線周波数チャネル各々を対象とする第２のサーチとを実施する。
【０００６】
以下、特許文献１及び２に記載される移動局の構成及び動作を、図４〜図６を参照して詳細に説明する。
【０００７】
図４に示す移動局１ｘは、受信部１００と、ＲＳＳI(Ｒｅｃｅｉｖｅｄ Ｓｉｇｎａｌ Ｓｔｒｅｎｇｔｈ Ｉｎｄｉｃａｔｏｒ)測定部２００と、帯域ソート部３００と、セルサーチ部４００とで構成されている。
【０００８】
この内、受信部１００は、帯域ソート部３００から受けた周波数帯域情報５０４及びＲＦチャネル情報５０５に基づき、アンテナ１１０を介して受信すべきＲＦ(Ｒａｄｉｏ Ｆｒｅｑｕｅｎｃｙ)信号５０１の成分を決定する。ここで、周波数帯域情報５０４は、信号成分を受信すべき分割帯域を指示し、ＲＦチャネル情報５０５は、ＲＦチャネルの割当数及び割当周波数を指示するものである。すなわち、受信部１００は、上記の第１のサーチに際して、周波数帯域情報５０４により指示された分割帯域に対応する信号成分を受信する。一方、上記の第２のサーチに際して、受信部１００は、ＲＦチャネル情報５０５により指示された複数のＲＦチャネルに対応する信号成分を順次受信する。また、受信部１００は、受信した信号成分をベースバンド信号５０２に変換し、ＲＳＳＩ測定部２００に与える。
【０００９】
また、ＲＳＳＩ測定部２００は、受信部１００から出力されたベースバンド信号５０２のＲＳＳＩ５０３を測定し、帯域ソート部３００に与える。すなわち、ＲＳＳＩ測定部２００は、上記の第１のサーチに際して、一の分割帯域に対応する信号成分のＲＲＳＩを測定し、上記の第２のサーチに際しては、各ＲＦチャネルに対応する信号成分のＲＳＳＩを測定する。
【００１０】
また、帯域ソート部３００は、上記の第１のサーチに際して、周波数帯域情報５０４に設定する分割帯域を順次更新し、以て各分割帯域に対応するＲＲＳＩを得る。一方、上記の第２のサーチに際し、帯域ソート部３００は、受信部１００及びセルサーチ部４００に対して、最も高いＲＲＳＩが得られた分割帯域に含まれるＲＦチャネルをＲＦチャネル情報５０５により指示する。これにより、各ＲＦチャネルを対象としたセルサーチが実施されることとなる。
【００１１】
さらに、セルサーチ部４００は、ＲＦチャネル情報５０５により指示されたＲＦチャネル毎に通常セルサーチを実施する。ここで、通常セルサーチとは、スロットタイミングの同定、スクランブリングコードの同定、パイロット信号のＲＳＳＩ測定を行うことを意味する。また、セルサーチ部４００は、スクランブリングコードの同定を行うことができたＲＦチャネルの内で最も高いＲＳＳIが測定されたＲＦチャネルを、待ち受けチャネル(待ち受けセル)５０６として選択する。この待ち受けチャネル５０６は、後段の通信制御回路等に通知される。これにより、移動局１ｘは、待ち受けチャネル５０６を介して基地局から送出された報知情報を取得し、当該報知情報を用いて位置登録を行う。
【００１２】
次に、上記の移動局１ｘの動作を、図５及び図６を参照して詳細に説明する。なお、以下の説明においては、６０ＭＨｚの帯域幅に２００ＫＨｚ間隔で３００個のＲＦチャネルを配置し、且つ当該帯域幅を５ＭＨｚで分割した(１２個の分割帯域を設定した)場合を扱う。
【００１３】
図５に示すように、移動局１ｘが電源ＯＮ状態又は圏内復帰状態となると(ステップＳ１１)、ＲＳＳI測定部２００は、分割帯域５０７(ｋ)の中心周波数５０８(ｋ)についてＲＳＳＩ５０３(ｋ)を測定し、帯域ソート部３００に与える(ステップＳ１２)。ここで、上記の変数kは"１"〜"１２"の値をとる。すなわち、ＲＳＳI測定部２００は、分割帯域５０７(１)〜５０７(１２)にそれぞれ対応するＲＳＳＩ５０３(１)〜(１２)を順次測定する。
【００１４】
そして、帯域ソート部３００は、分割帯域５０７(１)〜５０７(１２)を、ＲＳＳＩの高い順にソートする(ステップＳ１３)。また、帯域ソート部３００は、最も高いＲＳＳＩが測定された分割帯域に含まれるＲＦチャネル５０９(ｊ)を、セルサーチの対象として選択する(ステップＳ１４)。ここで、上記の変数ｊは"１"〜"２５(５ＭＨｚ／２００ＫＨｚ)"の値をとる。上記のステップＳ１２の結果、例えば、ＲＳＳＩ５０３(３)＝"−５０ｄＢｍ"、５０３(２)＝"−６０ｄＢｍ"、５０３(１)＝"−７０ｄＢｍ"、…、５０３(１０)＝"−１００ｄＢｍ"が測定されたとすると、帯域ソート部３００は、受信部１００及びセルサーチ部４００に対して、分割帯域５０７(３)に含まれる２５チャネル分の通常セルサーチの実施を指示する。
【００１５】
そして、セルサーチ部４００は、上記の変数ｊの初期値を"１"として、ＲＦチャネル５０９(ｊ)に対応するＲＳＳＩ５０３(ｊ)を測定する(ステップＳ１５)。この際、セルサーチ部４００は、図６に示すように、ＲＦチャネル５０９(ｊ)に隣接設置されたＲＦチャネル５０９(ｊ−１)及び５０９(ｊ＋１)からの干渉を排除するため、ＲＦチャネル５０９(ｊ)近傍のＲＦ信号成分５０１(ｊ)を抽出して、ＲＳＳＩ５０３(ｊ)の測定に用いる。この後、セルサーチ部４００は、サーチ対象とする２５チャネル分のＲＳＳＩ測定が終了したか否かを判定する(ステップＳ１６)。この結果、２５チャネル分のＲＳＳＩ測定が終了していなければ、セルサーチ部４００は、変数ｊを"１"だけインクリメントし(ステップＳ１７)、上記のステップＳ１５に戻る。
【００１６】
一方、上記のステップＳ１６で２５チャネル分のＲＳＳＩ測定が終了したと判定した場合、セルサーチ部４００は、ＲＦチャネル５０９(１)〜５０９(２５)を、ＲＳＳＩの高い順にソートする(ステップＳ１８)。また、帯域ソート部３００は、最も高いＲＳＳＩが測定されたＲＦチャネルを、待ち受けセル５０６として選択する(ステップＳ１９)。上記のステップＳ１５及びＳ１６の結果、例えば、ＲＳＳＩ５０３(１５)＝"−７０ｄＢｍ"、５０３(２)＝"−７５ｄＢｍ"、５０３(２３)＝"−７８ｄＢｍ"、…、５０３(７)＝"−９０ｄＢｍ"が測定されたとすると、セルサーチ部４００は、ＲＦチャネル５０９(１５)を待ち受けセル５０６として選択する。
【００１７】
また、図示を省略するが、移動局１ｘは、待ち受けセル５０６が存在しない場合(すなわち、ＲＦチャネル５０９(１５)を使用して報知情報を送出する基地局が存在せず、位置登録できない場合)、上記のステップＳ１４〜Ｓ１９の処理を、次に高いＲＳＳIが測定された分割帯域及びこれに含まれるＲＦチャネルについて実行する。以降、移動局１ｘは、これらの処理を繰り返し実行する。
【先行技術文献】
【特許文献】
【００１８】
【特許文献１】特開２００２−１５９０４２号公報
【特許文献２】特開２００３−６０５５１号公報
【発明の概要】
【発明が解決しようとする課題】
【００１９】
しかしながら、上記の特許文献１及び２に記載される移動局には、上記の第１のサーチで選択した分割帯域を使用する基地局が存在しない場合に、セルサーチ時間が一般的な移動局よりも長くなり得るという課題があった。これは、最悪のケースとして、上記の第２のサーチにおける通常セルサーチの対象が全ての無線周波数チャネルとなるためである。この場合、一般的な移動局による１チャネルずつのサーチよりも時間を要する。
【課題を解決するための手段】
【００２０】
本発明の一態様に係る移動局は、一定の周波数間隔で配置された複数の無線周波数チャネルの内から、３チャネルおきに第１の無線周波数チャネルを順次選択すると共に、前記第１の無線周波数チャネルを中心周波数とする、予め定めた帯域幅分の信号成分を受信する受信部と、前記受信の度に、前記第１の周波数チャネルに対応する信号成分の受信強度を測定すると共に、前記受信された信号成分中の低域成分及び高域成分の受信強度を、前記第１の無線周波数チャネルに隣接配置された第２及び第３の無線周波数チャネルに対応する信号成分の受信強度としてそれぞれ測定する測定部と、最も高い受信強度が測定された無線周波数チャネルを、待ち受けチャネルとして選択する選択部とを備える。
【００２１】
また、本発明の一態様に係るチャネルサーチ方法は、移動局におけるチャネルサーチ方法を提供する。このチャネルサーチ方法は、一定の周波数間隔で配置された複数の無線周波数チャネルの内から、３チャネルおきに第１の無線周波数チャネルを順次選択すると共に、前記第１の無線周波数チャネルを中心周波数とする、予め定めた帯域幅分の信号成分を受信し、前記受信の度に、前記第１の周波数チャネルに対応する信号成分の受信強度を測定すると共に、前記受信した信号成分中の低域成分及び高域成分の受信強度を、前記第１の無線周波数チャネルに隣接配置された第２及び第３の無線周波数チャネルに対応する信号成分の受信強度としてそれぞれ測定し、最も高い受信強度が測定された無線周波数チャネルを、待ち受けチャネルとして選択する。
【００２２】
さらに、本発明の一態様に係るチャネルサーチプログラムは、移動局に、一定の周波数間隔で配置された複数の無線周波数チャネルの内から、３チャネルおきに第１の無線周波数チャネルを順次選択すると共に、前記第１の無線周波数チャネルを中心周波数とする、予め定めた帯域幅分の信号成分を受信する処理と、前記受信の度に、前記第１の周波数チャネルに対応する信号成分の受信強度を測定すると共に、前記受信した信号成分中の低域成分及び高域成分の受信強度を、前記第１の無線周波数チャネルに隣接配置された第２及び第３の無線周波数チャネルに対応する信号成分の受信強度としてそれぞれ測定する処理と、最も高い受信強度が測定された無線周波数チャネルを、待ち受けチャネルとして選択する処理とを実行させる。
【００２３】
すなわち、本発明では、電源投入時や圏内復帰時等のセルサーチに際し、隣接する無線周波数チャネル同士間の干渉を利用して、一度に３チャネル分の受信強度を測定する。このため、セルサーチ時間を、上記の特許文献１及び２に記載される移動局と比較して大幅に短縮することが可能である。また、受信強度の測定時間は、基地局がいずれの無線周波数チャネルを使用するかに関わらず略一定である。
【発明の効果】
【００２４】
本発明によれば、電源投入時や圏内復帰時等のセルサーチをより高速に実施することができ、以て移動局を使用するユーザの利便性を向上させることが可能である。
【図面の簡単な説明】
【００２５】
【図１】本発明の実施の形態に係る移動局の構成例を示したブロック図である。
【図２】本発明の実施の形態に係る移動局における、ＲＦチャネルの選択動作例、ＲＦ信号成分の受信動作例、及びＲＳＳＩの測定動作例を示したグラフ図である。
【図３】本発明の実施の形態に係る移動局の全体動作例を示したフローチャート図である。
【図４】本発明の関連技術に係る移動局の構成例を示したブロック図である。
【図５】本発明の関連技術に係る移動局の全体動作例を示したフローチャート図である。
【図６】本発明の関連技術に係る移動局における、ＲＦ信号成分の抽出動作例及びＲＳＳＩの測定動作例を示したグラフ図である。
【発明を実施するための形態】
【００２６】
以下、本発明に係る移動局の実施の形態を、図１〜図３を参照して説明する。なお、各図面において同一要素には同一の符号が付されており、説明の明確化のため、必要に応じて重複説明は省略される。
【００２７】
図１に示す本実施の形態に係る移動局１は、受信部１０と、ＲＳＳI測定部２０と、チャネル選択部３０とで構成されている。
【００２８】
この内、受信部１０は、例えば図２(ａ)に示す如く６０ＭＨｚの帯域幅に２００ＫＨｚ間隔で配置された３００個のＲＦチャネル４６(１)〜４６(３００)の内から、３チャネルおきにＲＦチャネル４６(２)、４６(５)、…、４６(２９９)(実線で図示)を順次選択する。また、図２(ｂ)に示すように、受信部１０は、アンテナ１１を介して入力されるＲＦ信号４１の内、選択したＲＦチャネル４６(ｉ)(実線で図示)を中心周波数とする予め定めた帯域幅(この例では、ＲＦチャネルの周波数間隔に相当する２００ＫＨｚ幅)分のＲＦ信号成分４１(ｉ)を受信する。さらに、受信部１０は、ＲＦ信号成分４１(ｉ)をベースバンド信号４２に変換し、ＲＳＳＩ測定部２０に与える。
【００２９】
また、ＲＳＳＩ測定部２０は、受信部１０からベースバンド信号４２が出力される度に、ＲＦチャネル４６(ｉ)近傍のＲＦ信号成分を抽出してＲＳＳＩの測定に用いる。また、ＲＳＳＩ測定部２０は、ＲＦ信号成分４１(ｉ)中の低域成分４１Ｌ(ｉ)及び高域成分４１Ｈ(ｉ)のＲＳＳＩを、ＲＦチャネル４６(ｉ)に隣接配置された、図２(ｂ)に点線で示すＲＦチャネル４６(ｉ−１)及び４６(ｉ＋１)に対応するＲＦ信号成分のＲＳＳＩとしてそれぞれ測定する。
【００３０】
ここで、低域成分４１Ｌ(ｉ)のＲＳＳＩには、ＲＦチャネル４６(ｉ−１)からの干渉電力が重畳され、高域成分４１Ｈ(ｉ)のＲＳＳＩには、ＲＦチャネル４６(ｉ＋１)からの干渉電力が重畳される。このため、ＲＳＳＩ測定部２０は、一度のＲＦ信号４１の受信で、３チャネル分のＲＳＳＩを測定することができる。従って、セルサーチ時間を、図１に示した移動局１ｘと比較して略１／３に短縮することができる。また、ＲＳＳＩの測定時間には、基地局(図示せず)がＲＦチャネル４６(１)〜４６(３００)のいずれを使用してもバラツキが生じない。
【００３１】
さらに、チャネル選択部３０は、ＲＳＳＩ測定部２０により測定されたＲＳＳＩ４３の内で最も高いＲＳＳＩに対応するＲＦチャネルを、待ち受けチャネル４４として選択する。より具体的には、チャネル選択部３０は、チャネルソート部３１と、セルサーチ部３２とを備える。この内、チャネルソート部３１は、ＲＦチャネル４６(１)〜４６(３００)をＲＳＳＩ４３の高い順にソートすると共に、受信部１０及びセルサーチ部３２に対して待ち受けチャネル指示４５を発行し、以て最も高いＲＳＳＩに対応するＲＦチャネルのみを対象とした通常セルサーチの実施を指示する。
【００３２】
なお、セルサーチ部３２から出力された待ち受けチャネル４４は、後段の通信制御回路(図示せず)等に通知される。これにより、移動局１は、待ち受けチャネル４４を介して基地局から送出された報知情報を取得し、当該報知情報を用いて位置登録を行うことができる。
【００３３】
次に、本実施の形態の全体動作を、図３を参照して詳細に説明する。
【００３４】
図３に示すように、移動局１が電源ＯＮ状態又は圏内復帰状態となると(ステップＳ１)、受信部１０は、変数ｉを"２"に初期化し(ステップＳ２)、図２(ａ)に示したＲＦチャネル４６(２)を中心周波数とする２００ＫＨｚ幅分のＲＦ信号成分４１(２)を受信する(ステップＳ３)。
【００３５】
そして、ＲＳＳI測定部２０は、ＲＦ信号成分４１(２)に帯域フィルタを掛け、以てＲＦチャネル４６(２)近傍のＲＦ信号成分を抽出すると共に、抽出したＲＦ信号成分のＲＳＳＩ４３(２)を測定する(ステップＳ４)。
【００３６】
また、ＲＳＳI測定部２０は、ＲＦ信号成分４１(２)に低域通過フィルタを掛け、以てＲＦ信号成分４１(２)中の低域成分４１Ｌ(２)を抽出すると共に、抽出した低域成分４１Ｌ(２)のＲＳＳＩを、隣接するＲＦチャネル４６(１)に対応するＲＳＳＩ４３(１)として測定する(ステップＳ５)。
【００３７】
また、ＲＳＳI測定部２０は、ＲＦ信号成分４１(２)に高域通過フィルタを掛け、以てＲＦ信号成分４１(２)中の高域成分４１Ｈ(２)を抽出すると共に、抽出した高域成分４１Ｈ(２)のＲＳＳＩを、隣接するＲＦチャネル４６(３)に対応するＲＳＳＩ４３(３)として測定する(ステップＳ６)。
【００３８】
そして、ＲＳＳI測定部２０は、ＲＦチャネル４６(１)〜４６(３００)の全てについてＲＳＳＩ測定が終了したか否かを判定する(ステップＳ７)。この時、ＲＦチャネル４６(４)〜４６(３００)についてのＲＳＳＩ測定が終了していないため、移動局１は、変数ｉを"３"だけインクリメントし(ステップＳ８)、上記のステップＳ３に戻る。そして、受信部１０とＲＳＳI測定部２０の協調動作により、上記のステップＳ３〜Ｓ８が繰り返し実行される。
【００３９】
これにより、ＲＦチャネル４６(１)〜４６(３００)に対応するＲＳＳＩ４３(１)〜４３(３００)がそれぞれ測定されることとなる。
【００４０】
一方、ＲＳＳＩ４３(１)〜４３(３００)の全てについての測定終了を検知したチャネルソート部３１は、ＲＦチャネル４６(１)〜４６(３００)を、ＲＳＳＩ４３の高い順にソートする(ステップＳ９)。例えば、ＲＳＳＩ４３(１)＝"−７０ｄＢｍ"、４３(２)＝"−７５ｄＢｍ"、４３(３)＝"−７８ｄＢｍ"、…が測定されたとすると、チャネルソート部３１は、受信部１０及びセルサーチ部３２に対して、最も高いＲＳＳＩが測定されたＲＦチャネル４６(３)を設定した待ち受けチャネル指示４５を発行する。チャネル指示４５を受けたセルサーチ部３２は、ＲＦチャネル４６(３)を待ち受けチャネル４４として選択し、後段の通信制御回路等に通知する(ステップＳ１０)。
【００４１】
なお、図示の例では、ＲＳＳＩ４３(ｉ)、４３(ｉ−１)、及び４３(ｉ＋１)を順次測定する場合を扱ったが、ＲＳＳI測定部２０は、ＲＳＳＩ４３(ｉ)、４３(ｉ−１)、及び４３(ｉ＋１)を並列に測定しても良い。この場合、ＲＳＳＩの測定時間を短縮し、以てセルサーチ時間をさらに短縮することができる。
【００４２】
また、移動局１は、上記のステップＳ３〜Ｓ１０の処理を、図５に示したステップＳ１５〜Ｓ１９に代えて実行するようにしても良い。この場合もやはりＲＳＳＩの測定時間を短縮し、以てセルサーチ時間を短縮することができる。
【００４３】
なお、上記の実施の形態によって本発明は限定されるものではなく、特許請求の範囲の記載に基づき、当業者によって種々の変更が可能なことは明らかである。例えば、上記の実施の形態に示した各処理を、移動局に実行させるためのプログラムとして提供することもできる。この場合、当該プログラムを、移動局内のプロセッサが実行可能なようにメモリ等の記憶媒体に格納すると好適である。或いは、当該プログラムは、既存の通信制御回路に組み込まれたファームウェアへのプラグインとして提供しても良い。
【符号の説明】
【００４４】
１  移動局
１０  受信部
１１  アンテナ
２０  ＲＳＳＩ測定部
３０  チャネル選択部
３１  チャネルソート部
３２  セルサーチ部
４１  ＲＦ信号
４１(ｉ)  ＲＦ信号成分
４１Ｌ(ｉ)  低域成分
４１Ｈ(ｉ)  高域成分
４２  ベースバンド信号
４３  ＲＳＳＩ
４４  待ち受けチャネル
４５  待ち受けチャネル指示
４６(１)〜(３００), ４６(ｉ−１), ４６(ｉ), ４６(ｉ＋１)  ＲＦチャネル
【図１】
2010226151.tif 000003
【図２】
2010226151.tif 000004
【図３】
2010226151.tif 000005
【図４】
2010226151.tif 000006
【図５】
2010226151.tif 000007
【図６】
2010226151.tif 000008